(57)【要約】【課題】容易に薬剤を指定することが可能な薬剤データ入力装置およびプログラムを提供する。【解決手段】薬剤データ入力装置は、入力手段と、検索条件追加手段と、検索手段とを備える。前記入力手段は、薬剤を識別する識別情報を入力する。前記検索条件追加手段は、前記入力手段から入力した前記識別情報に対して更に、薬剤情報を検索条件に追加する。前記検索手段は、前記入力手段から入力した前記識別情報の一部と、前記検索条件追加手段から追加された前記薬剤情報とに適合する薬剤を、薬剤名称と、前記識別情報と、前記薬剤情報とを関連付けて記憶している薬剤マスタから検索する。【選択図】図２
2015047362.tif 000002
【特許請求の範囲】
【請求項１】
薬剤を識別する識別情報を入力する入力手段と、
前記入力手段から入力した前記識別情報に対して更に、薬剤情報を検索条件に追加する検索条件追加手段と、
前記入力手段から入力した前記識別情報の一部と、前記検索条件追加手段から追加された前記薬剤情報とに適合する薬剤を、薬剤名称と、前記識別情報と、前記薬剤情報とを関連付けて記憶している薬剤マスタから検索する検索手段と
を備えた薬剤データ入力装置。
【請求項２】
前記検索手段が検索した薬剤の前記薬剤名称と、前記識別情報とを表示させる表示制御手段と、
を更に備える、
請求項１に記載の薬剤データ入力装置。
【請求項３】
前記検索条件追加手段は、前記薬剤情報として前記薬剤が効果を奏する疾患名を検索条件に追加する、
請求項１又は２に記載の薬剤データ入力装置。
【請求項４】
前記検索条件追加手段は、前記薬剤情報として前記薬剤が併用して使用されることを禁止している薬剤を除外する、
請求項１〜３の何れか一項に記載の薬剤データ入力装置。
【請求項５】
前記検索条件追加手段は、前記薬剤情報として前記薬剤の外観を検索条件に追加する、
請求項１〜４の何れか一項に記載の薬剤データ入力装置。
【請求項６】
コンピュータを、
薬剤を識別する識別情報を入力する入力手段と、
前記入力手段から入力した前記識別情報に対して更に、薬剤情報を検索条件に追加する検索条件追加手段と、
前記入力手段から入力した前記識別情報の一部と、前記検索条件追加手段から追加された前記薬剤情報とに適合する薬剤を、薬剤名称と、前記識別情報と、前記薬剤情報とを関連付けて記憶している薬剤マスタから検索する検索手段と、
として機能させるプログラム。
【発明の詳細な説明】
【技術分野】
【０００１】
本発明の実施形態は、薬剤データ入力装置およびプログラムに関する。
【背景技術】
【０００２】
従来、薬剤監査においては、薬剤の取り違い等の過誤の発生を防止するために幾つかのシステムが提案されている。例えば、特許文献１記載のシステムにおいては、投薬しようとしている薬剤の容器に付されたバーコードで特定される薬剤情報と、投薬すべき薬剤の情報とを照合し、薬剤の誤使用を防止している。
【０００３】
一方、使用した薬剤の登録においては、看護師が、手術等で使用された薬剤の空容器を集め、使用薬剤についての集計結果を伝票に手作業で記入した後、伝票を医事課へ提出する作業を行っていた。そこで、集計作業時においても、薬剤に付されたバーコードを用いて登録を行う装置を導入する方策が考えられる。
【０００４】
ところが、バーコードに汚れや欠損があると、バーコードを読み取れない場合がある。バーコードを読み取れない場合には、手入力にてバーコードのコード番号を入力して薬剤を検索している。
【０００５】
しかしながら、全てのコード番号を入力せずに検索を行うと、膨大な数の薬剤が適合してしまい、薬剤を指定するのが困難であった。
【発明の概要】
【発明が解決しようとする課題】
【０００６】
本発明が解決しようとする課題は、容易に薬剤を指定することが可能な薬剤データ入力装置およびプログラムを提供することである。
【課題を解決するための手段】
【０００７】
実施形態の薬剤データ入力装置は、入力手段と、検索条件追加手段と、検索手段とを備える。前記入力手段は、薬剤を識別する識別情報を入力する。前記検索条件追加手段は、前記入力手段から入力した前記識別情報に対して更に、薬剤情報を検索条件に追加する。前記検索手段は、前記入力手段から入力した前記識別情報の一部と、前記検索条件追加手段から追加された前記薬剤情報とに適合する薬剤を、薬剤名称と、前記識別情報と、前記薬剤情報とを関連付けて記憶している薬剤マスタから検索する。
【図面の簡単な説明】
【０００８】
【図１】図１は、実施形態にかかる薬剤管理システムの概要構成を示すブロック図である。
【図２】図２は、薬剤登録装置の外観を示す正面図である。
【図３】図３は、薬剤登録装置のハードウェア構成を示すブロック図である。
【図４】図４は、薬剤登録装置の機能構成を示すブロック図である。
【図５】図５は、薬剤登録装置のＭＰＵが制御プログラムに従って実行する使用薬剤登録処理の流れを示すフローチャートである。
【図６】図６は、ログイン画面の一例を示す説明図である。
【図７】図７は、患者登録画面の一例を示す説明図である。
【図８】図８は、薬剤登録開始画面の一例を示す説明図である。
【図９】図９は、手入力画面の一例を示す説明図である。
【図１０】図１０は、絞込み条件入力画面の一例を示す説明図である。
【図１１】図１１は、薬剤選択画面の一例を示す説明図である。
【図１２】図１２は、薬剤登録画面の一例を示す説明図である。
【発明を実施するための形態】
【０００９】
図１は、実施形態にかかる薬剤管理システム１０の概要構成を示すブロック図である。図１に示すように、薬剤管理システム１０は、電子カルテサーバ１１と、医師用の情報処理端末装置１２と、看護師用の情報処理端末装置１３と、薬剤監査装置１４と、無線基地局１５及び公衆通信ネットワーク１６を介して通信ネットワーク１７に接続された医師用の携帯情報処理端末装置１８と、薬剤部サーバ１９と、薬剤登録装置２０と、を備えている。
【００１０】
電子カルテサーバ１１は、電子カルテを管理し、記憶するための装置である。医師用の情報処理端末装置１２は、電子カルテの記入などを行うための装置である。看護師用の情報処理端末装置１３は、電子カルテサーバ１１が管理する電子カルテの参照及び確認を行うための装置である。薬剤監査装置１４は、電子カルテに含まれる指示書情報（例えば、処方箋情報）に基づいて薬剤の取揃え等の支援および監査を行うための装置である。薬剤部サーバ１９は、薬剤部に配置され薬剤払出等を管理するための装置である。また、薬剤部サーバ１９は、薬剤のコード情報または薬剤の外面情報（薬剤のラベルを表す特徴量、薬剤の色合いや表面の凹凸状況等の表面の状態を表す特徴量など）に対応付けて薬剤に係る薬剤情報（名称、量など）を登録している。薬剤登録装置２０は、手術室に配置され、看護師によって手術中に使用された薬剤、あるいは救急の場などにおいて看護師や薬剤師等によって緊急的に使用された薬剤の登録支援を行うための装置である。本実施形態において、薬剤データ入力装置である薬剤登録装置２０は、手術室に配置されるものであって、看護師によって手術中に使用された薬剤の登録支援に用いられることを想定する。
【００１１】
上記構成において、電子カルテサーバ１１、情報処理端末装置１２、情報処理端末装置１３、薬剤監査装置１４、薬剤部サーバ１９及び薬剤登録装置２０は、通信ネットワーク１７に接続されている。
【００１２】
図２は、薬剤登録装置２０の外観を示す正面図である。図２に示すように、薬剤登録装置２０は、大別すると、薬剤登録装置２０の制御主体となる装置本体部２４と、スキャナ２２と、各種情報をプリントアウトするためのプリンタ２３とを備えている。
【００１３】
装置本体部２４は、オペレータとなる看護師が各種操作を行うとともに、使用された薬剤のリスト等の各種情報を表示可能なタッチパネルディスプレイ２１を備えている。
【００１４】
スキャナ２２は、カラーＣＣＤ（Charge  Coupled  Device）イメージセンサやカラーＣＭＯＳ（Complementary  Metal-Oxide  Semiconductor）イメージセンサ等のイメージセンサとＬＥＤ（Light  Emitting  Diode）などの光源とを有している。スキャナ２２は、看護師ＩＤ（IDentification）のコードシンボル、患者ＩＤのコードシンボル、薬剤のコードシンボル、薬剤の画像などの撮像を行う。スキャナ２２が所定のフレームレートで順次撮像したフレーム画像（撮像画像）は、後述するＲＡＭ（Random  Access  Memory）３３（図３参照）に保存される。
【００１５】
なお、スキャナ２２は、図２に示すようなテーブル上に載置する形状に限るものではなく、床上に立設させるスタンド形状であってもよい。
【００１６】
また、薬剤登録装置２０は、薬剤の重量を測定する秤や、薬剤に付されたＲＦＩＤ（Radio  Frequency  IDentification）との間でデータの読取り／書込みを行うＲＦＩＤリーダライタ等を備えていてもよい。
【００１７】
図３は、薬剤登録装置２０のハードウェア構成を示すブロック図である。図３に示すように、薬剤登録装置２０は、装置全体を制御するＭＰＵ（Micro  Processing  Unit）３１と、ＲＯＭ（Read  Only  Memory）３２と、ＲＡＭ３３と、外部記憶装置３４と、通信インタフェース動作を行う通信インタフェース（Ｉ／Ｆ）３８とを装置本体部２４に備えている。ＲＯＭ３２は、制御プログラムを含む各種データを不揮発的に記憶する。ＲＡＭ３３は、ワークエリアとして機能するとともに、各種データを一時的に記憶する。外部記憶装置３４は、データベース等の大容量データや制御プログラムを記憶可能なハードディスクドライブ、ＳＳＤ（Solid  State  Drive）によって構成されている。
【００１８】
ここで、タッチパネルディスプレイ２１、スキャナ２２、プリンタ２３、スピーカ３７及び通信インタフェース３８は、入出力Ｉ／Ｏ３９を介してバス４０に接続されている。このバス４０には、ＭＰＵ３１、ＲＯＭ３２、ＲＡＭ３３及び外部記憶装置３４が接続されている。スピーカ３７は、警告音を発する場合などに使用される。
【００１９】
なお、タッチパネルディスプレイ２１は、表示部であるディスプレイ３５及びタッチパネル３６を主体に構成されている。
【００２０】
また、記憶部である外部記憶装置３４は、使用薬剤記憶テーブルＴと、薬剤マスタＤＢとを備える。使用薬剤記憶テーブルＴは、使用された薬剤についての集計結果を記憶する。薬剤マスタＤＢは、コード情報と、薬剤名称と、薬剤情報とを関連付けて記憶する。コード情報は、薬剤を識別するための識別子である。例えば、コード情報とは、バーコードに付されている番号である。
【００２１】
薬剤情報とは、例えば、形状、製薬会社、成分、効能効果、用法用量、対象疾患名、剤形、禁忌薬剤などでの情報ある。形状とは、アンプルやバイアルなどの容器の形状を示す。製薬会社とは、薬剤を製造した企業を示す。成分とは、薬剤の効力をもつ成分を示す。効能効果とは、薬剤を使用したことにより得られる効果を示す。用法用量とは、薬剤の使用方法を示す。対象疾患名とは、薬剤が治療の対象としている疾患名を示す。剤形とは、錠剤、散剤、カプセル、注射剤などの目的や用途により加工された薬剤の形状を示す。禁忌薬剤とは、併用すると危険をもたらす薬剤を示す。
【００２２】
このような構成により、薬剤登録装置２０のＭＰＵ３１は、ＲＯＭ３２や外部記憶装置３４に記憶された制御プログラムに従って動作することで、使用された薬剤の登録支援を行う。
【００２３】
次に、実施形態にかかる薬剤登録装置２０が有する特徴的な機能について説明する。図４は、薬剤登録装置２０の機能構成を示すブロック図である。ＭＰＵ３１は、ＲＯＭ３２や外部記憶装置３４に記憶された制御プログラムに従って動作することで、図４に示すように、登録手段３１１と、表示制御手段３１２と、読取手段３１３と、識別手段３１４と、印字制御手段３１５と、検索手段３１６と、検索条件追加手段３１７と、入力手段３１８と、として機能する。
【００２４】
読取手段３１３は、スキャナ２２がスキャンした撮像画像から、薬剤の識別子を読み取る。具体的には、読取手段３１３は、使用される薬剤に付されたコードシンボルのコード情報または使用される薬剤の全部または一部の外面情報を読み取る。バーコードや二次元コードなどのコードシンボルからコード情報を検出する処理については、従来からある技術なのでここでの説明は省略する。
【００２５】
識別手段３１４は、読取手段３１３による読み取り結果として得られた情報（コード情報または外面情報）に基づいて薬剤を識別して薬剤情報を抽出する。また、薬剤の外面情報に基づいて薬剤を識別する方法は、予めコード情報に対応付けて薬剤の外面情報をテーブルとして記憶しておき、外面情報に基づく薬剤の薬剤情報をテーブルから抽出するようにすればよい。
【００２６】
印字制御手段３１５は、印字部であるプリンタ２３を制御して、識別手段３１４が識別した薬剤情報を印字させる。
【００２７】
入力手段３１８は、スキャナ２２を用いて薬剤の識別子を読み取ることができない場合に、バーコードに付されている番号であるコード情報（コード番号）などの薬剤を識別する識別情報を入力する。その際、入力手段３１８から入力するコード番号は、コード番号の一部であってもよいし、全部であってもよい。
【００２８】
検索条件追加手段３１７は、検索手段３１６が実行する検索に対して薬剤情報を検索条件に追加する。例えば、入力手段３１８から入力したコード番号の桁数が少なく、多くの薬剤が適合してしまった場合に、オペレータ（看護師）は、所望の薬剤を選択することが困難になる。そこで、検索条件追加手段３１７は、検索条件に適合する薬剤を絞り込むために、検索条件を追加する。検索条件追加手段３１７は、薬剤マスタＤＢの薬剤情報を参照して、薬剤が有している特徴を検索条件として追加する。薬剤が有している特徴とは、例えば、対象疾患名や、併用禁忌薬剤や、外観などである。
【００２９】
対象疾患名とは、薬剤が効果を奏する疾患名を示す。よって、検索条件追加手段３１７は、薬剤が効果を奏する疾患名を検索条件に追加することにより、無関係な薬剤を除外することが可能となる。また、対象疾患名は、患者の疾患に悪影響を及ぼす可能性がある薬剤を除外する検索条件に用いてもよい。これにより、使用が制限されている薬剤を除外することが可能となる。
【００３０】
併用禁忌薬剤とは、併用することにより、作用の減弱、副作用の増加などの悪影響を及ぼすおそれのある薬剤を示す。医師は、併用して使用することが禁止されている薬剤同士を、同一の指示書情報（処方箋情報など）に含めて作成することはない。よって、検索条件追加手段３１７は、使用薬剤記憶テーブルＴに登録済みの薬剤と併用して使用することが禁止されている薬剤を除外することで、無関係な薬剤を除外することが可能となる。
【００３１】
外観とは、薬剤の容器の形状や、剤形などを示す。検索条件追加手段３１７は、オペレータ（看護師）が検索条件を追加しようとしている対象の薬剤の外観を入力することにより、無関係な薬剤を除外することが可能となる。
【００３２】
なお、薬剤マスタＤＢが有している他の薬剤情報である、例えば、製薬会社、成分、効能効果、用法用量などを検索条件としてもよい。
【００３３】
検索手段３１６は、薬剤マスタＤＢから薬剤を検索する。具体的には、検索手段３１６は、入力手段３１８によって入力された識別情報（コード番号）の全部または一部と、検索条件追加手段３１７とに適合する薬剤を薬剤マスタＤＢから検索する。その際の検索手法は、前方一致検索、後方一致検索、あいまい検索の何れであってもよい。または、前方一致検索、後方一致検索、あいまい検索以外の検索手法であってもよい。そして、オペレータ（看護師）は、検索条件に適合した薬剤から所望の薬剤を選択する。
【００３４】
登録手段３１１は、識別手段３１４で識別された薬剤または、検索手段３１６で検索された薬剤の一覧からオペレータ（看護師）が選択した薬剤を外部記憶装置３４の使用薬剤記憶テーブルＴに登録する。
【００３５】
表示制御手段３１２は、表示部であるディスプレイ３５に、識別手段３１４が識別した薬剤情報の表示を制御する。例えば、表示制御手段３１２は、検索手段３１６によって検索された薬剤の薬剤名称と、識別情報とを表示する。
【００３６】
次に、上述した実施形態にかかる薬剤登録装置２０のＭＰＵ３１が制御プログラムに従って実行する使用薬剤登録処理について説明する。実施形態にかかる薬剤登録装置２０は、使用された薬剤のコードシンボルや薬剤の画像などをスキャンし、薬剤登録処理を実行する。
【００３７】
図５は、薬剤登録装置２０のＭＰＵ３１が制御プログラムに従って実行する使用薬剤登録処理の流れを示すフローチャートである。図５に示すように、薬剤登録装置２０のＭＰＵ３１は、初期状態として、ディスプレイ３５にログイン画面Ｇ１を表示する（ステップＳ１）。薬剤登録装置２０の操作が許可されている各オペレータ（看護師）は、ＩＤカードを有し、ＩＤカードの認証により薬剤登録装置２０の操作が可能になるものとする。
【００３８】
図６は、ログイン画面Ｇ１の一例を示す説明図である。ログイン画面Ｇ１には、図６に示すように、「ＩＤカードを読み取らせてください。」というガイドコメントが表示される。また、ログイン画面Ｇ１は、ＩＤカードに付されている看護師ＩＤのコードシンボルをスキャナ２２に読み込ませることを促すガイド画像を表示する。
【００３９】
したがって、オペレータ（看護師）は、ログイン処理を行うために、自己のＩＤカードに付された看護師ＩＤのコードシンボルをスキャナ２２の前にかざして、看護師ＩＤを読み込ませる。
【００４０】
薬剤登録装置２０のＭＰＵ３１は、ログイン処理により看護師ＩＤを認証すると（ステップＳ２；Ｙｅｓ）、ディスプレイ３５の表示画面に患者登録画面Ｇ２を表示する（ステップＳ３）。なお、薬剤登録装置２０のＭＰＵ３１は、看護師ＩＤが認証できない場合に（ステップＳ２；Ｎｏ）、ステップＳ１に戻り、ログイン画面Ｇ１を再度表示する。
【００４１】
図７は、患者登録画面Ｇ２の一例を示す説明図である。患者登録画面Ｇ２には、図７に示すように、「患者ＩＤを読み取らせてください。」というガイドコメントが表示される。また、患者登録画面Ｇ２は、患者のリストバンドに付されている患者ＩＤのコードシンボルをスキャナ２２に読み込ませることを促すガイド画像を表示する。
【００４２】
したがって、オペレータ（看護師）は、患者登録処理を行うために、患者のリストバンドに付されている患者ＩＤのコードシンボルをスキャナ２２の前にかざして、患者ＩＤを読み込ませる。
【００４３】
薬剤登録装置２０のＭＰＵ３１は、患者登録処理により患者ＩＤを登録すると（ステップＳ４；Ｙｅｓ）、ディスプレイ３５の表示画面に薬剤登録開始画面Ｇ３を表示させる（ステップＳ５）。なお、薬剤登録装置２０のＭＰＵ３１は、患者ＩＤが登録できない場合（ステップＳ４；Ｎｏ）、ステップＳ３に戻り、患者登録画面Ｇ２を再度表示する。
【００４４】
ここで、図８は、薬剤登録開始画面Ｇ３の一例を示す説明図である。薬剤登録開始画面Ｇ３は、図８に示すように、薬剤のコードシンボルの読み取らせ方が表示される。また、薬剤登録開始画面Ｇ３は、中止ボタンＢ１と、手入力ボタンＢ２とを備えている。中止ボタンＢ１は、薬剤登録を中止するボタンである。手入力ボタンＢ２は、薬剤のコードシンボルに付されているコード番号を手入力で登録する場合に押下するボタンである。例えば、薬剤に付されているコードシンボルに汚れや欠損がある場合に、薬剤登録装置２０にコードシンボルを読み取らせることができない。この場合などに、手入力ボタンＢ２は押下される。
【００４５】
中止ボタンＢ１が押下された場合に（ステップＳ６；Ｙｅｓ）、薬剤登録装置２０のＭＰＵ３１は、薬剤登録中止画面（図示せず）を表示して（ステップＳ７）、薬剤登録を終了する。一方、中止ボタンＢ１が押下されない場合に（ステップＳ６；Ｎｏ）、薬剤登録装置２０のＭＰＵ３１は、手入力ボタンＢ２が押下されるか否か判定する（ステップＳ８）。
【００４６】
手入力ボタンＢ２が押下されず（ステップＳ８；Ｎｏ）、スキャナ２２の前に薬剤がかざされた場合に、薬剤登録装置２０のＭＰＵ３１は、コードシンボルを読み取る（ステップＳ９）。
【００４７】
一方、手入力ボタンＢ２が押下された場合に（ステップＳ８；Ｙｅｓ）、薬剤登録装置２０のＭＰＵ３１は、手入力画面Ｇ４を表示させる（ステップＳ１０）。ここで、図９は、手入力画面Ｇ４の一例を示す説明図である。手入力画面Ｇ４は、薬剤に付されているコード番号を手入力にて入力する画面である。手入力画面Ｇ４は、「薬剤コードを入力してください。」とのガイドメッセージを表示することによりコード番号の入力を求める。また、手入力画面Ｇ４は、数字入力ボタンＢ３と、検索ボタンＢ４と、キャンセルボタンＢ５と、確定ボタンＢ６と、絞込みボタンＢ７と、コード番号表示領域Ｒ１と、ガイド表示領域Ｒ２と、を備える。
【００４８】
数字入力ボタンＢ３は、コード番号を入力するボタンである。そして、数字入力ボタンＢ３は、０から９までの数字を入力するボタンと、１文字削除する１文字削除ボタンとを有する。検索ボタンＢ４は、数字入力ボタンＢ３で入力したコード番号と適合するコード番号を検索するボタンである。キャンセルボタンＢ５は、手入力でのコード番号の入力をキャンセルするボタンである。確定ボタンＢ６は、所望の薬剤を選択した場合に薬剤を確定するボタンである。なお、手入力画面Ｇ４において、確定ボタンＢ６は、選択不可能な状態になっている。絞込みボタンＢ７は、検索する際に、検索条件を追加する場合に押下するボタンである。コード番号表示領域Ｒ１は、数字入力ボタンＢ３にて入力された数値を表示する領域である。ガイド表示領域Ｒ２は、「薬剤についているバーコードの番号を入力してください」とのガイドメッセージを表示してオペレータ（看護師）にコード番号の入力を求める画面である。コード番号の入力は、コード番号の全部または一部を入力する。コード番号が欠損や汚れなどで読み取ることができない場合などに、オペレータ（看護師）は、コード番号の一部を入力する。
【００４９】
薬剤登録装置２０のＭＰＵ３１は、キャンセルボタンＢ５が押下されるか否かを判定する（ステップＳ１１）。キャンセルボタンＢ５が押下されない場合に（ステップＳ１１；Ｎｏ）、薬剤登録装置２０のＭＰＵ３１は、ステップＳ１２に移行する。一方、キャンセルボタンＢ５が押下された場合に（ステップＳ１１；Ｙｅｓ）、薬剤登録装置２０のＭＰＵ３１は、手入力画面Ｇ４を消去してステップＳ６に戻る。
【００５０】
次いで、薬剤登録装置２０のＭＰＵ３１は、絞込みボタンＢ７が押下されるか否かを判定する（ステップＳ１２）。絞込みボタンＢ７が押下されない場合に（ステップＳ１２；Ｎｏ）、薬剤登録装置２０のＭＰＵ３１は、ステップＳ１３に移行する。一方、絞込みボタンＢ７が押下された場合に（ステップＳ１２；Ｙｅｓ）、薬剤登録装置２０のＭＰＵ３１は、絞込み条件入力画面Ｇ５を表示する（ステップＳ１４）。
【００５１】
ここで、図１０は、絞込み条件入力画面Ｇ５の一例を示す説明図である。絞込み条件入力画面Ｇ５は、図１０に示すように、手入力したコード番号から薬剤を検索する際に、適合する薬剤を絞り込むための条件を入力する画面である絞込み条件入力画面Ｇ５は、「絞込み条件を入力して下さい。」とのガイドメッセージを表示することにより絞込み条件の入力を求める。
【００５２】
また、絞込み条件入力画面Ｇ５は、疾患名設定領域Ｒ３と、禁忌設定領域Ｒ４と、外観設定領域Ｒ５と、設定ボタンＢ８とを備える。疾患名設定領域Ｒ３は、患者の電子カルテに登録されている疾患名を選択する。疾患名設定領域Ｒ３は、プルダウンメニューで構成されており、疾患名を選択可能となっている。これにより、設定した疾患を対象とした薬剤のみに絞り込む。また、疾患名は、心臓病などの疾患の総称であってもよい。図１０は、「指定しない」が選択されている状態を示している。
【００５３】
禁忌設定領域Ｒ４は、使用薬剤記憶テーブルＴに記憶されている薬剤と併用して使用した場合に薬物間相互作用により悪影響を及ぼすおそれがある薬剤を除外するか否かを選択する。禁忌設定領域Ｒ４は、ラジオボタンで構成されており、除外すると、除外しないとの何れか一方を選択可能となっている。図１０は、「禁忌薬剤を除外する」が選択されている状態を示している。
【００５４】
外観設定領域Ｒ５は、薬剤の容器または剤形などの外観を設定する。これにより、設定された外観と一致する薬剤のみに絞り込まれる。図１０は、「アンプル」が選択されている状態を示している。なお、絞込みのために設定する内容は、薬剤情報に含まれる、製薬会社、成分、効能効果、用法用量などであってもよい。または、患者の都合により使用できない薬剤を除外してもよい。例えば、患者の都合により使用できない薬剤とは、アレルギーがある患者に使用できない薬剤や、妊婦に使用できない薬剤や、宗教上の理由により使用できない薬剤や、ドーピングとなってしまうために使用できない薬剤などである。
【００５５】
設定ボタンＢ８は、選択した条件を設定するボタンである。よって、絞込み条件入力画面Ｇ５を表示した薬剤登録装置２０のＭＰＵ３１は、設定ボタンＢ８が押下されるか否かを判定する（ステップＳ１５）。設定ボタンＢ８が押下されない場合に（ステップＳ１５；Ｎｏ）薬剤登録装置２０のＭＰＵ３１は、待機する。一方、設定ボタンＢ８が押下された場合に（ステップＳ１５；Ｙｅｓ）、薬剤登録装置２０のＭＰＵ３１は、選択された絞込み条件を設定する（ステップＳ１６）。
【００５６】
次いで、薬剤登録装置２０のＭＰＵ３１は、検索ボタンＢ４が押下されるか否かを判定する（ステップＳ１３）。検索ボタンＢ４が押下されない場合に（ステップＳ１３；Ｎｏ）、薬剤登録装置２０のＭＰＵ３１は、ステップＳ１７に移行する。検索ボタンＢ４が押下された場合に（ステップＳ１３；Ｙｅｓ）、薬剤登録装置２０のＭＰＵ３１は、入力されたコード番号を用いて薬剤マスタＤＢを検索する（ステップＳ１８）。検索結果を用いて薬剤登録装置２０のＭＰＵ３１は、薬剤選択画面Ｇ６を表示させる（ステップＳ１９）。
【００５７】
ここで、図１１は、薬剤選択画面Ｇ６の一例を示す説明図である。薬剤選択画面Ｇ６は、図１１に示すように、コード番号表示領域Ｒ１に入力されたコード番号で検索し、適合した薬剤候補から該当する薬剤の選択を求める画面である。薬剤選択画面Ｇ６は、「薬剤候補から当該薬剤を選択して［確定］して下さい。」とのガイドメッセージを表示することにより、薬剤候補から該当する薬剤の選択を求める。薬剤選択画面Ｇ６は、数字入力ボタンＢ３と、検索ボタンＢ４と、キャンセルボタンＢ５と、確定ボタンＢ６と、絞込みボタンＢ７と、コード番号表示領域Ｒ１と、薬剤候補領域Ｒ６と、を備える。
【００５８】
ここで、手入力画面Ｇ４と共通する部分については、説明を省略する。確定ボタンＢ６は、薬剤を選択すると押下することが可能となる。薬剤候補領域Ｒ６は、薬剤候補と、検索結果とが表示される。薬剤候補は、コード番号表示領域Ｒ１に入力したコード番号と一部が一致しており、かつ絞込み条件に適合した薬剤のコード番号と、薬剤名称とが表示される。検索結果は、検索条件に適合した薬剤の個数を表示する。図１１は、検索条件に適合した薬剤が３件ある状態を示している。このように、薬剤候補として、コード番号（識別情報）と、薬剤名称とが表示されることにより、オペレータ（看護師）は、読み取ることが可能なコード番号と、薬剤名称との両方を確認して薬剤を選択することが可能となる。よって、正確性を向上させることが可能となる。
【００５９】
次いで、薬剤登録装置２０のＭＰＵ３１は、確定ボタンＢ６が押下されるか否かを判定する（ステップＳ１７）。確定ボタンＢ６が押下されない場合に（ステップＳ１７；Ｎｏ）、薬剤登録装置２０のＭＰＵ３１は、ステップＳ１１に戻り、再度処理を行う。確定ボタンＢ６が押下された場合に（ステップＳ１７；Ｙｅｓ）、薬剤登録装置２０のＭＰＵ３１は、使用薬剤記憶テーブルＴに登録して薬剤登録画面Ｇ７を表示させる（ステップＳ１９）。
【００６０】
ここで、図１２は、薬剤登録画面Ｇ７の一例を示す説明図である。薬剤登録画面Ｇ７は、図１２に示すように、使用薬剤記憶テーブルＴに登録された薬剤の一覧を表示する画面である。薬剤登録画面Ｇ７は、薬剤一覧表示領域Ｒ７と、中止ボタンＢ１と、手入力ボタンＢ２と、印刷ボタンＢ９とを備えている。薬剤一覧表示領域Ｒ７は、薬剤名と、数量と、合計点数とを表示する領域である。薬剤名は、使用薬剤記憶テーブルＴに登録された薬剤の名称である。数量は、該当する薬剤の数量である。合計点数は、使用薬剤記憶テーブルＴに登録された薬剤の数量の合計である。中止ボタンＢ１および手入力ボタンＢ２は、薬剤登録開始画面Ｇ３における中止ボタンＢ１および手入力ボタンＢ２と同じ機能を有したボタンである。印刷ボタンＢ９は、使用薬剤記憶テーブルＴに登録された薬剤の一覧を使用品伝票として印刷するボタンである。
【００６１】
薬剤登録装置２０のＭＰＵ３１は、印刷ボタンＢ９が押下されるか否かを判定する（ステップＳ２０）。印刷ボタンＢ９が押下されない場合に（ステップＳ２０；Ｎｏ）、薬剤登録装置２０のＭＰＵ３１は、薬剤登録処理を継続するとしてステップＳ６に戻る。印刷ボタンＢ９が押下された場合に（ステップＳ２０；Ｙｅｓ）、薬剤登録装置２０のＭＰＵ３１は、使用品伝票を印刷して（ステップＳ２１）、薬剤登録処理を終了する。
【００６２】
以上のように、本実施形態によれば、薬剤マスタＤＢは、対象疾患名や、禁忌薬剤や、薬剤の外観などの薬剤情報を有している。絞込み条件入力画面Ｇ５において、薬剤情報を用いて検索条件を絞り込む設定が可能となっている。よって、コード番号を入力して薬剤を検索する際に、検索条件に適合する薬剤が絞り込まれることから、オペレータは、容易に薬剤を指定することが可能となる。
【００６３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６４】
なお、上記実施形態では、薬剤の登録処理を例に説明している。しかし、薬剤の登録処理以外に使用してもよい。例えば、医師等が指示した薬剤が適切に取り揃えられているか否かを確認する薬剤の監査処理時に使用してもよい。
【００６５】
なお、上記実施形態では、絞込み条件入力画面Ｇ５において、絞込み条件を入力し設定している。しかし、絞込み条件は、電子カルテの情報から設定されるものとしてもよい。この場合には、電子カルテの内容を絞込み条件に設定する内容とすればよい。例えば、薬剤のアレルギーがある患者において、患者の電子カルテにアレルギー情報が含まれている場合には、アレルギーに該当する薬剤を除外するようにすればよい。これにより、自動的に設定されることとなる。
【００６６】
なお、上記実施形態では、薬剤マスタＤＢは、外部記憶装置３４に配置されていると説明している。しかし、薬剤マスタＤＢは、外部記憶装置３４以外に配置されてもよい。例えば、薬剤マスタＤＢは、薬剤部サーバ１９に配置されていてもよい。この場合には、通信ネットワーク１７が整備されている環境に、薬剤登録装置２０を設置し、通信インタフェース３８を用いて薬剤部サーバ１９と通信を行えばよい。
【００６７】
また、上記実施形態の各装置で実行されるプログラムは、各装置が備える記憶媒体（ＲＯＭ又は記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００６８】
また、上記実施形態の各装置で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００６９】
２０    薬剤登録装置（薬剤データ入力装置）
３４    外部記憶装置
Ｔ      使用薬剤記憶テーブル
ＤＢ    薬剤マスタ
３１    ＭＰＵ
３１６  検索手段
３１７  検索条件追加手段
３１８  入力手段
Ｇ４    手入力画面
Ｇ５    絞込み条件入力画面
【先行技術文献】
【特許文献】
【００７０】
【特許文献１】特開２００２−１６３３５７号公報
【図１】
2015047362.tif 000003
【図２】
2015047362.tif 000004
【図３】
2015047362.tif 000005
【図４】
2015047362.tif 000006
【図５】
2015047362.tif 000007
【図６】
2015047362.tif 000008
【図７】
2015047362.tif 000009
【図８】
2015047362.tif 000010
【図９】
2015047362.tif 000011
【図１０】
2015047362.tif 000012
【図１１】
2015047362.tif 000013
【図１２】
2015047362.tif 000014